(57)【特許請求の範囲】
【請求項１】
撮像装置本体の電源がオンされている状態からオフされたことを検知する電源オフ検知手段と、前記撮像装置本体が三脚等に固定されていることを検知する固定検知手段と、前記電源オフ検知手段で電源オフを検知した場合に、前記固定検知手段で固定されていることを検知したときは、前記電源がオフされる前の撮影の設定条件を維持し、また前記固定検知手段で固定されていることを検知しないときは、前記電源がオフされる前の撮影の設定条件をリセットするように制御する制御手段とを備えたことを特徴とする撮像装置。
【請求項２】
撮像装置本体の電源がオンされている状態からオフされたことを検知する電源オフ検知手段と、前記撮像装置本体へ、メニュ操作により三脚固定モードを含む動作モードを入力する動作モード入力手段と、前記電源オフ検知手段で電源オフを検知した場合に、前記動作モード入力手段で前記三脚固定モードが入力されているときは、前記電源がオフされる前の撮影の設定条件を維持し、また前記動作モード入力手段で前記三脚固定モードが入力されていないときは、前記電源がオフされる前の撮影の設定条件をリセットするように制御する制御手段とを備えたことを特徴とする撮像装置。
【請求項３】
電源オフ検知手段は、撮像装置本体の電源スイッチのオフを検知するものであることを特徴とする請求項１または請求項２記載の撮像装置。
【請求項４】
電源オフ検知手段は、撮像装置本体の電源用バッテリが外されることを検知するものであることを特徴とする請求項１または請求項２記載の撮像装置。
【請求項５】
固定検知手段は、撮像装置本体の手ブレ補正手段の振動検知センサであることを特徴とする請求項１記載の撮像装置。
【請求項６】
固定検知手段は、撮像装置本体の固定に連動するスイッチであることを特徴とする請求項１記載の撮像装置。
【発明の詳細な説明】
【０００１】
【発明の属する技術分野】
本発明は、本体を固定する三脚等の有無を検知する機能を有するカメラ一体型ＶＴＲ等の撮影装置に関するものである。
【０００２】
【従来の技術】
（第１のタイプの従来例）
従来、カメラ部とそれを記録再生するＶＴＲ部とを一体化したいわゆるカメラ一体型ＶＴＲにおいて、撮影時のデータ等のバックアップの方法は様々なものがある。例えば、電源スイッチをオフにしたとき前記データの全部または一部を記憶しているものや全てリセットしてしまうもの、あるいはバッテリを外されたとき同様に前記データの全部または一部を記憶しているものや全てリセットしてしまうものがある。これらはその機種の想定ユーザや性格によってどのような方法を採るか決める場合が多い。またバッテリを外したときデータをバックアップする手段としては、オートデート保持用のサブバッテリで動作するマイコンのＲＡＭに記憶したり、ＥＥＰＲＯＭ等の不揮発性メモリに記憶する等がある。
【０００３】
いずれにせよ、バックアップやリセットの状態が変化するのは、スタンバイスイッチ等を含む電源関係のスイッチを操作したときか、バッテリを交換したときであった。
【０００４】
そして、特に手持ち撮影での手ブレを補正する機能いわゆる手ブレ防止機能を有するカメラ一体型ＶＴＲが登場し、更にこの機能を利用して本体が三脚等に固定されているような静止状態か否かを検知できる装置も提案されている。
【０００５】
（第２のタイプの従来例）
一方、ビデオカメラ本体を固定する三脚等を装着できるビデオカメラに、三脚等を装着した場合、カセットテープ取出し等のビデオカメラの動作モードを行うと、三脚等を装着しているためその動作モードは行えないものがある。この種のビデオカメラでは、三脚等を装着したため動作モードが不可となる、ビデオカメラ本体の動作を行うスイッチは、三脚を装着したときに、スイッチが物理的に押せない場所に配置している。
【０００６】
【発明が解決しようとする課題】
ところで、三脚等に固定して撮影する状況を考えると、結婚式や発表会等での撮影が考えられ、基本的には照明条件は一定である。従って省電のため電源スイッチをオフにしたりバッテリ交換しても、以前の撮影データをバックアップしていることが望ましい。ところが前述の第１のタイプの従来例ではこのときリセットしてしまうものがあり、再度最適な撮影条件を設定する必要があった。
【０００７】
しかし、三脚に固定しないで撮影する場合は、行動範囲が自由なので照明条件も変化することが多い。従って電源スイッチのオフ／オンではむしろ以前の撮影データをバックアップせずにリセットした方がよい。ところが前述の第１のタイプの従来例ではこのときバックアップしてしまうものがあった。
【０００８】
一方、第２のタイプの従来例では、三脚を装着したときに、ビデオカメラ本体の動作が不可となるビデオカメラ本体の動作モードを行うスイッチは、三脚が装着されると、操作者が操作できないように物理的に押せない場所に配置している。このためスイッチの配置が制限されるという問題があった。
【０００９】
本発明は、このような状況のもとでなされたもので、三脚等を着脱する際の、操作性のよい撮像装置を提供することを目的とするものである。
【００１０】
【課題を解決するための手段】
前記目的を達成するため、本発明では、撮像装置を次の（１）ないし（６）のとおりに構成する。
【００１１】
（１）撮像装置本体の電源がオンされている状態からオフされたことを検知する電源オフ検知手段と、前記撮像装置本体が三脚等に固定されていることを検知する固定検知手段と、前記電源オフ検知手段で電源オフを検知した場合に、前記固定検知手段で固定されていることを検知したときは、前記電源がオフされる前の撮影の設定条件を維持し、また前記固定検知手段で固定されていることを検知しないときは、前記電源がオフされる前の撮影の設定条件をリセットするように制御する制御手段とを備えた撮像装置。
【００１２】
（２）撮像装置本体の電源がオンされている状態からオフされたことを検知する電源オフ検知手段と、前記撮像装置本体へ、メニュ操作により三脚固定モードを含む動作モードを入力する動作モード入力手段と、前記電源オフ検知手段で電源オフを検知した場合に、前記動作モード入力手段で前記三脚固定モードが入力されているときは、前記電源がオフされる前の撮影の設定条件を維持し、また前記動作モード入力手段で前記三脚固定モードが入力されていないときは、前記電源がオフされる前の撮影の設定条件をリセットするように制御する制御手段とを備えた撮像装置。
【００１３】
（３）電源オフ検知手段は、撮像装置本体の電源スイッチのオフを検知するものである前記（１）または（２）記載の撮像装置。
【００１４】
（４）電源オフ検知手段は、撮像装置本体の電源用バッテリが外されることを検知するものである前記（１）または（２）記載の撮像装置。
【００１７】
（５）固定検知手段は、撮像装置本体の手ブレ補正手段の振動検知センサである前記（１）記載の撮像装置。
【００１８】
（６）固定検知手段は、撮像装置本体の固定に連動するスイッチである（１）記載の撮像装置。
【００１９】
【発明の実施の形態】
以下本発明の実施の態様を“カメラ一体型ＶＴＲ”，“ビデオカメラ”の実施例により詳しく説明する。
【００２０】
【実施例】
（実施例１）
図１は、実施例１である“カメラ一体型ＶＴＲ”のブロック図である。図中、１はレンズ、２はＣＣＤ等の撮像部、３はカメラ信号処理ブロック、４，５はマイコン、６はＥＥＰＲＯＭ、７は電源スイッチ、８はメインバッテリ、９はメインバッテリ８の有／無を検出するＩＣ、１０は手ブレ補正手段のジャイロセンサ（振動検知センサ）である。また１１はレコーダ信号処理ブロックである。１２はフォーカス，露出，シャッタスピード，ホワイトバランス等のカメラ関係のキー群である。
【００２１】
次に前述の構成における動作を説明する。レンズ１を通った光はＣＣＤ２で電気信号に変換されカメラ信号処理ブロック３に送られる。カメラキー群１２の操作による情報は、マイコン４に入力されその操作に応じてマイコン４はカメラ信号処理ブロック３に命令を与える。カメラ信号処理ブロック３からの映像信号は磁気媒体等に記録されるべくレコーダ信号処理ブロック１１に送られる。バッテリ検出ＩＣ９は、カメラ一体型ＶＴＲに電源を供給するメインバッテリ８の有無を検出するもので、入力電圧がある電圧値以上のとき出力に“Ｈ”レベルを、ある電圧値以下のとき出力に“Ｌ”レベルを出すようないわゆるコンパレータである。ＩＣ９の出力とスイッチ７はマイコン５に入力される。またＥＥＰＲＯＭ６は、マイコン４からの撮影データなど各種のデータを記憶するもので、マイコン５によって書込み，読出しが行われる。なおマイコン５はメインバッテリ８がなくても不図示のコイン型リチウム電池等のサブバッテリでも動作可能なマイコンである。またマイコン４と５は通信線でつながっている。更に前述した従来例のように揺れを検知するジャイロセンサ１０からの情報はマイコン４に入力され、マイコン４はその情報を分析して本体が三脚等に固定されている状態か否かを判断しマイコン５にその結果を送信する。
【００２２】
図２のフローチャートにより動作を説明する。まずメインバッテリ８が装着され、電源スイッチ７がオンで本体が動作状態にあるものとする。マイコン５はまずステップ１（以下Ｓ１のように略す）で電源スイッチ７がオフされるか、またはメインバッテリ８が外されるかをみる。両方ともなされていなければそのまま通常動作を続ける。もしどちらかが操作された場合、Ｓ２に進みマイコン４からの情報による本体が三脚等に固定されているかどうかをみる。固定されている場合はＳ３に進み、撮影データ等のデータをＥＥＰＲＯＭ６に記憶させてからマイコン５は待機状態になる。Ｓ２で三脚等に固定されていないと判断した場合はＳ４に進み、ＥＥＰＲＯＭ６の撮影データをリセットしデフォルトに戻してから待機状態になる。そして再度電源スイッチ７がオンされるかメインバッテリ８が装着されると、マイコン５はＥＥＰＲＯＭ６のデータを読み出しその撮影データをマイコン４に送る。
【００２３】
このように本実施例によれば、電源スイッチ操作やメインバッテリの脱着操作によらずに、本体が三脚等に固定されていれば各種撮影データをバックアップし、固定されずに自由な状況では前記操作で前記データはデフォルト値となるので、常に状況にあった最適な撮影が行える効果がある。また三脚等に固定されているかどうかの検知手段が防振機能の構成をそのまま使うことができ新たに追加するものが不要であるので、コストアップやスペースアップにならない。
【００２４】
（実施例２）
図３は実施例２である“カメラ一体型ＶＴＲ”の構成を示すブロック図である。実施例１との相違点は、ジャイロセンサ１０の代わりにメカスイッチ１３を配した点である。ここでメカスイッチ１３は本体を三脚に固定すると押されるようなスイッチである。本実施例の動作フローチャートは実施例１と全く同様である。
【００２５】
本実施例によれば、防振機能の無いカメラ一体型ＶＴＲでもスイッチ１３を追加するだけの簡単な構成で実施例１と同様に常に状況にあった最適な撮影が行える効果がある。
【００２６】
（実施例３）
図４は、実施例３である“カメラ一体型ＶＴＲ”の構成を示すブロック図である。本実施例では実施例１のジャイロセンサ１０や実施例２の三脚検出のメカスイッチ１３は無い。図４において、１４はいわゆるメニュ操作に必要なキー群であり、メニュ画面のオン／オフやカーソルの移動や実行などができる。図５は、メニュキー１４を用いてメニュ画面を不図示のビューファインダ等に出したときのもので、三脚等に固定されている場合は「する」を選択しそれ以外では「しない」を選択しておく。動作フローチャートは図２と同様である。
【００２７】
本実施例によれば、防振機能や三脚等を検出するスイッチが無い場合でも、大抵のカメラ一体型ＶＴＲに備わっているメニュ機能を使用することにより、三脚モードを自由に設定でき、状況にあった最適な撮影が行える効果がある。
【００２８】
（実施例１〜実施例３に関係するその他の実施例）
前述の実施例では、カメラ一体型ＶＴＲの例を取ったが、カメラ部のみでももちろん構わない。また図２のＳ１において電源スイッチの操作とバッテリ脱着の操作を同等に捉えたが、例えば三脚固定時、バッテリ交換ではバックアップするが、電源オフ／オンではリセットしてもよい。またこの逆にしてもよい。更には前述のメニュ画面でユーザの好みに設定してもよい。
【００２９】
実施例３において三脚等に固定されているか否かの選択をメニュ画面で行っているが、これはスライドスイッチ等のスイッチでももちろん構わない。
【００３０】
またデータのバックアップ手段としてＥＥＰＲＯＭに限定されるものではなく、サブバッテリでマイコンのＲＡＭ上に記憶してもよい。またデータは撮影データに限定されるものではない。
【００３１】
（実施例４）
図６は実施例４である“ビデオカメラ”の構成を示すブロック図である。同図において、４１は被写体像を入力するレンズ、４２はレンズ４１からの入力を撮像信号に変換するＣＣＤ、４３は撮像信号をＡＥ等の処理を行いビデオ信号に変換するカメラ信号処理部、４４はＡＦ制御部、４５は表示信号生成回路４７の出力をビデオ信号に合成してビューファインダ部４６に出力する映像信号処理部、４６は映像信号を表示するビューファインダ部、４７はビデオカメラの状態を文字表示する表示信号生成回路、４８はビデオカメラ全体のシステムを制御するシステム制御部、４９はビデオカメラ本体を固定する三脚等の有り無しを検出する三脚検出部、５０はビデオカメラ操作者がビデオカメラの動作をコントロールするキー入力部である。
【００３２】
図７は、本実施例の動作を示すフローチャートである。このフローチャートに沿う処理は、システム制御部４８の不図示のＣＰＵにより行われる。以下このフローチャートを参照し、動作について説明する。
【００３３】
操作者が、ビデオカメラ本体を固定する三脚にビデオカメラを付けると、三脚検出部４９により、システム制御部４８は、ビデオカメラ本体を固定する三脚にビデオカメラが付けられたかを知ることができる。操作者は、ビデオカメラの動作をさせるためにキー入力部５０を操作してビデオカメラの動作をコントロールする（Ｓ７１）。操作者によりキー入力部５０から動作指示がくると、システム制御部４８は、三脚検出部４９により三脚の有り無しを判断して（Ｓ７２）、有りの場合、三脚によりビデオカメラの動作が制限されている動作指示を受け付けない（Ｓ７４）が、制限されていない動作は受け付ける（Ｓ７３）。三脚無しの場合は、全ての動作指示を受け付ける（Ｓ７３）。
【００３４】
なお、三脚の有無は、実施例１のように、手ブレ補正手段の振動検知センサの出力により判定する、或は実施例２のように、三脚装着と連動するメカスイッチのオン，オフにより判定するように構成してもよい。
【００３５】
以上説明したように、本実施例によれば、三脚の有り無しを判断して、有りの場合、三脚の装着によりビデオカメラの動作が制限されている動作指示を受け付けないことにより、不要なビデオカメラの動作エラーを防ぐ効果がある。
【００３６】
（実施例５）
本実施例は、実施例４の変形で、制限されている動作モードを指示したとき、警告表示を行うようにした例であり、ハードウエア構成は実施例４と同様である。以下図８のフローチャートを参照して動作について説明する。
【００３７】
操作者が、ビデオカメラ本体を固定する三脚にビデオカメラを付けると、三脚検出部４９により、システム制御部４８は、ビデオカメラ本体を固定する三脚にビデオカメラが付けられたかを知ることができる。操作者は、ビデオカメラの動作をさせるためにキー入力部５０を操作してビデオカメラの動作をコントロールする（Ｓ７１）。操作者によりキー入力部５０から、ビデオカメラの動作指示がくると、システム制御部４８は、三脚検出部４９により三脚の有り無しを判断して（Ｓ７２）、有りの場合、三脚によりビデオカメラの動作を禁止されている動作指示の受け付けを不可として（Ｓ７４）、またシステム制御部４８は表示信号生成回路４７に操作者に注意を促す警告表示を指示し、ビューファインダ部４６に警告表示を表示する（Ｓ７５）。三脚無しの場合は全ての動作指示を受け付ける（Ｓ７５）。
【００３８】
図９は、ビューファインダ部４６に表示する警告表示内容である。
【００３９】
以上説明したように、本実施例によれば、三脚の有り無しを判断して、有りの場合、三脚の装着によりビデオカメラの動作が制限されている動作指示を操作者が操作したとき、操作者に注意を促す警告表示を表示することにより、操作者に対して受け付け不可の理由が明確になるという効果がある。
【００４０】
【発明の効果】
以上説明したように、本発明によれば、三脚等を着脱する際の操作性を向上することができる。更に、詳しくは次に示す効果が得られる。
【００４１】
撮影の設定条件をそのままにしておきたいとき、節電のため電源スイッチを切ったり、メインバッテリを交換しても再度以前の状態に設定し直す手間が省け記録の機会を逃がすことが無い。また手持ち撮影等で常に変化する撮影条件のような状況では、節電のため電源スイッチを切ったり、メインバッテリを交換しても再度撮影するときには常に初期設定値に戻るため最適な条件で撮影することができる。
【００４２】
また従来の構成にほとんど回路や部品を追加することなく、マイコンのソフト変更のみで済むのでコストアップやスペースアップにならずに、常に最適な撮影をすることが可能である。
【図面の簡単な説明】
【図１】実施例１のブロック図
【図２】実施例１の動作を示すフローチャート
【図３】実施例２の構成を示すブロック図
【図４】実施例３の構成を示すブロック図
【図５】メニュ画面の例を示す図
【図６】実施例４の構成を示すブロック図
【図７】実施例４の動作を示すフローチャート
【図８】実施例５の動作を示すフローチャート
【図９】ビューファインダの表示例を示す図
【符号の説明】
４，５  マイコン
６  ＥＥＰＲＯＭ
７  電源スイッチ
８  メインバッテリ
１０  ジャイロセンサ
【図１】
0003548360.tif 000002
【図２】
0003548360.tif 000003
【図３】
0003548360.tif 000004
【図４】
0003548360.tif 000005
【図５】
0003548360.tif 000006
【図６】
0003548360.tif 000007
【図７】
0003548360.tif 000008
【図８】
0003548360.tif 000009
【図９】
0003548360.tif 000010